(57)【要約】【課題】  湯と空気との接触時間及び接触距離を長くするとともに、接触面積を大きくして蒸気の発生効率を向上させることができる蒸気発生装置を提供すること。【解決手段】  蒸気発生装置１０を、空気流を発生するファン２２と、複数の板状フィン３２，３３と、複数の板状フィン３２，３３に対して湯を供給する給湯パイプ４０とで構成した。複数の板状フィン３２，３３を、ファン２２が発生する空気流に向かって下り傾斜になった状態で上下に間隔をおいて配置し、各板状フィン３２，３３の傾斜の下部側を含む部分に湯を下方に流出する開口部３２ｂ，３３ｂを形成した。また、各板状フィン３２，３３の上面に供給された湯を開口部３２ｂ，３３ｂに導くガイド壁３４と、開口部３２ｂ，３３ｂに流れた湯を下側に位置する板状フィン３２，３３の上面における傾斜の上部側部分に送る導水板３５を設けた。【選択図】  図９
2018038582.tif 000002
【特許請求の範囲】
【請求項１】
上面が同方向に傾斜した状態で上下に間隔をおいて配置され、少なくとも下部に上面から下面へ貫通する開口部が形成された複数の板状フィンと、
前記複数の板状フィンの下端部から上端部に向かう空気流を発生するファンと、
前記複数の板状フィンに対して上方から湯を供給する給湯パイプと、
各板状フィンの上面に流下した湯を前記開口部に導くガイド部と、
前記複数の板状フィンのうち、所定の板状フィンの前記開口部から流出する湯を前記所定の板状フィンの直下に位置する板状フィンの上部側に送る導水板と
を備えたことを特徴とする蒸気発生装置。
【請求項２】
前記複数の板状フィンを上方から見たときに、前記所定の板状フィンの開口部と、前記所定の板状フィンの直下に位置する板状フィンの開口部との位置が異なっている請求項１に記載の蒸気発生装置。
【発明の詳細な説明】
【技術分野】
【０００１】
本発明は、フィンに供給された湯とファンが発生する空気流を利用して蒸気を発生する蒸気発生装置に関する。
【背景技術】
【０００２】
従来から、例えば、浴室内にスチームサウナ装置などの温かい蒸気を発生する装置を設置して浴室内を加湿および加温することが行われている（例えば、特許文献１参照）。この蒸気発生装置は、スチーム吹出口と空気吸入口が開口する外装体の内部に、給湯配管系に接続された複数の湯噴出口を有する噴出湯管と、熱交換促進部材と、ファンユニットとを配置して構成されている。そして、熱交換促進部材は、上下に延びる複数の薄板を左右方向に所定間隔をおいて連結して構成されており、この複数の薄板の上部に、湯噴出口から湯を放散するとともに、その湯にファンユニットの作動により空気吸入口から吸入される空気を接触させることにより、蒸気を発生させるように構成されている。
【先行技術文献】
【特許文献】
【０００３】
【特許文献１】特開平６−６３１０２号公報
【発明の概要】
【０００４】
しかしながら、前述した蒸気発生装置では、熱交換促進部材を構成する複数の薄板が、空気流路に対して略平行に配置されており、各薄板の間で湯を流下させながら、その流下する湯に直交するように空気を流して湯と空気を接触させるため、湯と空気とが接触する時間が短い。このため、前述した蒸気発生装置では、湯と空気との熱の交換効率が良くなく、蒸気の発生効率が良くないという問題がある。
【０００５】
本発明は、前述した問題に対処するためになされたもので、その目的は、湯と空気との接触時間及び接触距離を長くするとともに、接触面積を大きくして蒸気の発生効率を向上させることができる蒸気発生装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係る蒸気発生装置の構成上の特徴は、上面が同方向に傾斜した状態で上下に間隔をおいて配置され、少なくとも下部に上面から下面へ貫通する開口部（３２ｂ，３３ｂ，５２ｂ，６２ｂ）が形成された複数の板状フィン（３２，３３，５２，６２）と、複数の板状フィンの下端部から上端部に向かう空気流を発生するファン（２２）と、複数の板状フィンに対して上方から湯を供給する給湯パイプ（４０）と、各板状フィンの上面に流下した湯を開口部に導くガイド部（３４，３６，５４，５２ｃ，６２ｃ）と、複数の板状フィンのうち、所定の板状フィンの開口部から流出する湯を所定の板状フィンの直下に位置する板状フィンの上部側に送る導水板（３５，３７，５５，６５）とを備えたことにある。
【０００７】
本発明に係る蒸気発生装置には、空気流を発生するファンと、フィンに湯を供給する給湯パイプと、湯とファンが発生する空気流とを接触させて蒸気を含む温風にする複数の板状フィンが備わっている。また、複数の板状フィンは、上下に間隔をおいて配置され、かつそれぞれの上面が同方向に傾斜した状態で配置されており、ファンが発生する空気流は、各板状フィンの下端部から上端部に向かって流れる。そして、各板状フィンの少なくとも下部に、湯を下方に流出させる開口部が設けられている。さらに、蒸気発生装置には、上側に位置する所定の板状フィンの開口部から流下した湯をその板状フィンの直下に位置する板状フィンの上面上部側、すなわち、ファンが発生する空気流の風下側に対応する部分に送る導水板が備わっている。
【０００８】
このため、給湯パイプから湯をフィンに掛けると、湯は、板状フィンの上面に流下して、板状フィンの上面を流れ、当該板状フィンの下方側、すなわち、ファンが発生する空気流の上流側に移動する。この際、板状フィンの上面を流れる湯はガイド部によって、開口部に導かれる。そして、湯が開口部に到達すると直下に位置する板状フィンに流下する。このとき、流下する湯は、導水板によって、直下に位置する板状フィンの上面の上部側部分、すなわち、ファンが発生する空気流の下流側部分に導かれる。このような湯の流れが、上方の板状フィンから下方の板状フィンにかけて順次行われる。その際、ファンを作動させることにより、ファンが発生する空気流が、上方の板状フィンから下方の板状フィンに向かって流下する湯に接触して温かい蒸気を発生させる。
【０００９】
このようにして、ファンが発生する空気流は、傾斜した板状フィンの下端側から上端側に向かって流れ、湯は板状フィンの上面を空気流の上流側に向かって流れるため、湯と空気流は対向して接触する。このため、湯と空気流の接触時間及び接触距離が長くなり、熱交換の効率が良くなる。また、複数の板状フィンは、上面を傾斜させた状態で配置されるため、湯は、各板状フィンの上面を液膜状になって流れる。このため、湯と空気流の接触面積が広くなり、熱交換の効率が良くなる。このように、湯と空気流の接触時間、接触距離が長くなるとともに、接触面積が広くなることで、温かい蒸気の発生効率が向上する。この結果、供給パイプから供給される湯の温度をさほど高温にしなくても、適度な温度の蒸気を含む温風を発生させることができる。また、蒸気発生装置が設置される室内を素早く温かくすることができる。
【００１０】
なお、本発明においては、板状フィンの上面を湯が流れ、板状フィンの下面側を空気流が流れる場合もあるが、これによっても湯と風の熱交換は良好に行われる。また、本発明における空気流と湯に対応する低温流体と高温流体とを移動させながら接触させる場合、双方を直交させて接触させるよりも対向させて接触させた方が、熱交換の効率が向上することが実験や計算などで明らかにされている。
【００１１】
また、本発明においては、ファンの作動によって発生した空気流は、ファンからそのまま板状フィン側に進むことに限らず、所定の経路を経て板状フィン側に進むようになっていてもよい。要は、ファンが発生する空気流が傾斜した板状フィンの下端側から上端側に向かうように構成されていればよい。さらに、給湯パイプが掛ける湯も上方から下方に流下して複数の板状フィンにかかることに限らず、供給パイプからどの方向に掛けられても、その後、複数の板状フィンに上方からかかるようになっていればよい。また、本発明における開口部は、板状フィンの下方に形成されていればよいが、好ましくは、下端部に形成されているとよい。さらに、開口部は板状フィンを上下に貫通する穴であってもよいし、板状フィンの縁部に形成した切欠きであってもよい。
【００１２】
本発明に係る蒸気発生装置の他の構成上の特徴は、複数の板状フィンを上方から見たときに、所定の板状フィンの開口部と、所定の板状フィンの直下に位置する板状フィンの開口部との位置が異なっていることにある。
【００１３】
本発明によると、所定の板状フィンの開口部から流下した湯が、当該板状フィンの直下に位置する板状フィンの開口部に直接流れ込むことを防ぐことができる。したがって、各板状フィンの上面を順次通過しながら湯が流下するようになる。このため、湯と空気流とが接触する時間、及び接触する距離をより長くすることができる。これによって、湯と空気流との熱交換効率をさらに向上させることができる。なお、開口部の位置は、傾斜方向を前後としたときに、傾斜方向に対して直交する左右方向にずれていることが好ましい。
【図面の簡単な説明】
【００１４】
【図１】本発明の一実施形態に係る蒸気発生装置を示しており、（ａ）は正面図、（ｂ）は側面図、（ｃ）は下面図である。
【図２】蒸気発生装置の内部を示した断面図である。
【図３】蒸気発生装置の要部の概略を示した斜視図である。
【図４】板状フィンの一部を示した平面図である。
【図５】図４の５−５断面図である。
【図６】図４の６−６断面図である。
【図７】板状フィンを組み合わせた状態を示した斜視図である。
【図８】板状フィンを組み合わせた状態を示しており、（ａ）は平面図、（ｂ）は側面図である。
【図９】給湯パイプから供給された湯の流れとファンが発生する空気流の流れを示した説明図である。
【図１０】他の実施形態に係る蒸気発生装置に備わった板状フィンを示した斜視図である。
【図１１】さらに他の実施形態に係る蒸気発生装置に備わった板状フィンの一部を示した斜視図である。
【発明を実施するための形態】
【００１５】
以下、本発明の一実施形態を図面を用いて説明する。図１（ａ）〜（ｃ）および図２は、同実施形態に係る蒸気発生装置１０を示している。この蒸気発生装置１０は、装置本体１０ａと、装置本体１０ａの内部にそれぞれ設置されたファンユニット２０、熱交換器３０および給湯パイプ４０とで構成されている。装置本体１０ａは、底面部１１、前面部１２、後面部１３、左側面部１４ａ、右側面部１４ｂおよび天井部１５からなる略四角の箱状に形成されている。底面部１１は平面視が四角形の板状に形成され、その中央に後述する排水接続口３８ｃを通すための丸い排水用穴部１１ａが形成されている。また、底面部１１の後部における左右方向の中央に後述する給湯接続口４２を通すための給湯用穴部（図示せず）が形成されている。
【００１６】
前面部１２は、底面部１１の前端部から上方に延びる四角枠状の基部１２ａと、装置本体１０ａに設置された熱交換器３０を隠すカバー部１２ｂとからなるカバー部材で構成されている。この基部１２ａとカバー部１２ｂとで構成された前面部１２の上方にはパネル取付部１２ｃが形成されており、このパネル取付部１２ｃの前面は下部よりも上部が後方に位置する傾斜面で構成されている。そして、パネル取付部１２ｃの中央部分に、蒸気発生装置１０を操作するためのスイッチなどを備えた操作パネル１２ｄが取り付けられている。
【００１７】
前面部１２のカバー部１２ｂは、後方と下方が開放された横断面形状がコ字状に形成されており、上部がパネル取付け部１２ｃの下端部に着脱可能に係合している。また、前面部１２の基部１２ａの下部は底面部１１に係合している。カバー部１２ｂの下端部は、基部１２ａの内周面の下端面よりも少し上方に位置しており、基部１２ａの枠内の空間は、カバー部１２ｂ内の空間とカバー部１２ｂの下部開口を介して外部に連通している。基部１２ａの下部とカバー部１２ｂの下端部との間に開口を形成し送風口１２ｅが形成されている。
【００１８】
後面部１３は、底面部１１の後端部から上方に延びる四角板状に形成されており、その中央に円形の穴部が形成されている。そして、その穴部の縁部から、電源コードを通すための円筒状の電源接続口１３ａが後方に向かって延びている。また、左側面部１４ａと右側面部１４ｂは、底面部１１の左端部と右端部からそれぞれ上方に延びる左右対称の四角板状に形成されている。この左側面部１４ａと右側面部１４ｂのそれぞれ後部における上下方向の中央部分には、上下に延びる複数のスリットからなる吸い込み口１４ｃ（左側面部１４ａの吸い込み口は図示せず。）が形成されている。天井部１５は、前面部１２、後面部１３、左側面部１４ａおよび右側面部１４ｂの上端部に形成される開口を塞ぐ板状部分で構成されている。
【００１９】
ファンユニット２０は、モータ２１と、モータ２１の作動により回転するファン２２とで構成されており、後面部１３に取り付けられている。モータ２１は、回転軸２１ａを前方に突出させ、電源コード（図示せず）を電源接続口１３ａ内を通して外部に延ばした状態で、後面部１３の前面に固定されている。ファン２２は、プロペラファンで構成されており、モータ２１の回転軸２１ａに固定されてモータ２１の作動により回転し、前方に向かう空気流を発生する。
【００２０】
熱交換器３０は、ファン２２の前方でかつファン２２の近傍に位置した状態で、ドレンパン３８を介して底面部１１の上面に設置されている。熱交換器３０は、図３に概略を示したように、フィンケース３１の内部に、それぞれ複数の板状フィン３２，３３を上下に配置して構成されており、各板状フィン３２，３３は交互に配置されている。フィンケース３１は、前部および後部が開放されるとともに、上部に湯を通すための開口３１ａが形成された枠状に形成されており、左右の幅よりも上下の高さが少し短く、前後の長さがファン２２の前後の長さと同程度になっている。このフィンケース３１の両側面部３１ｂ，３１ｃの内面には、それぞれ前後に延びる溝を上下に複数配置して形成されるくし刃状の係合部（図示せず）が形成されている。また、この係合部を構成する各溝は、前部よりも後部が少し低くなった傾斜状に形成されている。
【００２１】
板状フィン３２，３３は、フィンケース３１の側面部３１ｂ，３１ｃ内面のくし刃状の係合部に掛け渡してフィンケース３１内に収容できる略長方形の板状に形成されている。図４は、板状フィン３２の一部を示しており、板状フィン３２の上方から見た図である。図４においては、後述するガイド壁３４を設けている側、すなわち紙面の下方が後方（ファン２２側）である。板状フィン３２は、フィン本体３２ａに複数の開口部３２ｂを形成した構成をしており、さらに、フィン本体３２ａには、ガイド壁３４および導水板３５が設けられている。フィン本体３２ａの前縁部は真っ直ぐに形成され、フィン本体３２ａの後縁部は後方に突出した部分と前方に窪んだ部分とが交互に配置された略波形に形成されている。フィン本体３２ａの後縁部の後方に突出した部分の後端には左右に延びる直線部分が形成され、フィン本体３２ａの後縁部の前方に窪んだ部分の前端には凹状の角部が形成されている。
【００２２】
開口部３２ｂは、フィン本体３２ａの後端に形成されている。具体的には、後方に突出した部分の直線部分の近傍から前方に向かって延びる平面視が長方形の穴で構成されており、フィン本体３２ａを上下に貫通している。ガイド壁３４は、フィン本体３２ａの後縁部に沿って形成された高さの低い堰で構成されており、開口部３２ｂの後縁部はガイド壁３４の一部で構成されている。導水板３５は、図５および図６に示したように、フィン本体３２ａの後端における後方に突出した部分の直線部分から前方斜め下方に延びており、開口部３２ｂよりも僅かに小さな長方形の板で構成されている。
【００２３】
なお、板状フィン３２、ガイド壁３４および導水板３５は、一枚の金属板の縁部側を上方に折り曲げてガイド壁３４を形成するとともに、その金属板に上下に貫通するコ字状の切り込みを入れてその部分を斜め下方に折り曲げることで導水板３５を形成してもよいし、それぞれ別体になった板状フィン３２、ガイド壁３４および導水板３５を溶接で連結してもよい。板状フィン３２、ガイド壁３４および導水板３５を、一枚の金属板を加工することで形成すると、形状が簡単で製造が容易になり、別部材を組み付けて形成すると、複雑な形状にすることができる。
【００２４】
板状フィン３３（図７および図８（ａ），（ｂ）参照）は、フィン本体３３ａに複数の開口部３３ｂを形成した構成をしており、さらに、フィン本体３３ａには、ガイド壁３６および複数の導水板３７が設けられている。フィン本体３３ａの後縁部は後方に突出した部分と前方に窪んだ部分とが交互に配置された略波形に形成されているが、後方に突出した部分と前方に窪んだ部分との左右方向の位置が板状フィン３２とは逆になっている。板状フィン３３のそれ以外の構成は、板状フィン３２と同じである。なお、ガイド壁３４，３６で本発明に係るガイド部が構成される。
【００２５】
このため、板状フィン３２と板状フィン３３を上下に間隔をおいて重ねた状態で組み合わせていくと、図７および図８（ａ），（ｂ）に示したようになり、上方から見たときに、開口部３２ｂと開口部３３ｂの位置および導水板３５と導水板３７の位置が左右にずれて異なるようになる。また、ガイド壁３４とガイド壁３６の凹凸部分も互いに異なるようになる。さらに、導水板３５の前端部はフィン本体３３ａの上面前部に当接し、導水板３７の前端部はさらに下に位置するフィン本体３２ａの上面前部に当接する。
【００２６】
このように構成された板状フィン３２，３３は、フィンケース３１の内部に上下方向に交互に取り付けられる。これによって、各板状フィン３２，３３は、前部よりも後部を下方に位置させて傾斜した状態、すなわち、ガイド壁３４を設けていない側よりもガイド壁３４が設けられている側が下方に位置するように傾斜させてフィンケース３１に組み付けられる。また、各板状フィン３２，３３の前方には、カバー部１２ｂが位置する。なお、フィンケース３１は、左右の幅が１９０ｍｍ、上下の高さが１８５ｍｍ、前後の長さが４５ｍｍに設定されている。そして、板状フィン３２，３３の水平方向に対する傾斜角は、３度〜８度に設定され、板状フィン３２，３３の上下の間隔は４ｍｍ〜１０ｍｍに設定されている。
【００２７】
ドレンパン３８は、熱交換器３０とファン２２の下方に設置されており、底面部３８ａと周側部３８ｂを備えた扁平な容器で構成されている。また、底面部３８ａの中央部分には穴が形成されその穴の周縁部から下方に、軸方向が短い円筒状の排水接続口３８ｃが延びている。この排水接続口３８ｃは、底面部１１の排水用穴部１１ａ内に位置しており、その先端部には外部に延びる排水管（図示せず）が接続される。
【００２８】
給湯パイプ４０は、熱交換器３０の上方に設置されている。給湯パイプ４０は、熱交換器３０の板状フィン３２の長手方向の長さとほぼ同じ長さを有し、長手方向に沿って複数の孔（図示せず)が所定間隔で形成された円筒体で構成されている。この給湯パイプ４０の一端には、ホース４１が接続されており、他端は塞がれている。ホース４１の先端部は、底面部１１の給湯用穴部内に設置された給湯接続口４２を介して外部に延びる給湯管（図示せず）に接続される。そして、給湯パイプ４０から湯が供給されると、給湯パイプ４０の長手方向に沿って形成された複数の孔から湯が流出し、下方の板状フィン３２に湯を供給する。このように構成された蒸気発生装置１０は、例えば、浴室内に設置される。この場合、給湯管から供給される湯の温度は６０℃程度に設定される。
【００２９】
そして、蒸気発生装置１０を使用する場合には、操作パネル１２ｄのスイッチやリモコンなどを操作して、ファンユニット２０を作動させるとともに、給湯パイプ４０から板状フィン３２に湯を供給する。これによって、図９に破線の矢印で示したように、最上段の板状フィン３２の上面に湯が流れ落ちるとともに、ファン２２が発生する空気流が、板状フィン３２，３３に向かって流れてくる。この場合、板状フィン３２のフィン本体３２ａが前部（図９の右側）よりも後部（図９の左側）が低くなるように傾斜しているため、湯はフィン本体３２ａの上面を空気流の上流に向かって流れる。そして、湯はフィン本体３２ａの上面の下端部（後端部）まで流れると、ガイド壁３４（図９では省略）によって開口部３２ｂに誘導される。
【００３０】
さらに、開口部３２ｂ内に流れた湯は導水板３５の上面に沿って、板状フィン３３のフィン本体３３ａの上面における上部側（前部側）に流れる。このとき、導水板３５の前端部がフィン本体３３ａの上面に接触しているため、湯は落下することなくスムーズにフィン本体３３ａの上面に流れていく。そして、湯はフィン本体３３ａの上面を、フィン本体３２ａの上面を流れたときと同様にして流れ、さらに下方のフィン本体３２ａの上面における上部側に流れる。このようなことが、下方の板状フィン３２，３３においても順次行われていく。また、新たに給湯パイプ４０から供給される湯も同様にして流下していく。その間、湯は、ファン２２からの空気流に当たることにより空気流を加熱するとともに蒸発し、空気流は蒸気を含む温風となって、送風口１２ｅから浴室内に送られ、浴室内を加湿するとともに加熱する。
【００３１】
この際の熱交換器３０内での湯と空気流との接触は、湯がフィン本体３２ａ，３３ａの上面に沿って、前方から後方のファン２２側に流れるのに対して、空気流が湯の流れに抗するように後方から前方に向かって流れるため、湯と空気流との接触時間及び接触距離が長くなり、湯と空気流との熱の交換効率が良くなる。また、湯は、各板状フィン３２，４４の上面を液膜状になって流れるため、湯と空気流の接触面積が広くなり、これによっても、熱交換の効率が良くなる。これによって、蒸気発生の効率がよくなり、浴室内を素早く温めることができる。なお、送風口１２ｅから浴室内に放出される蒸気の温度は、４２℃〜４８℃程度になる。
【００３２】
以上のように、本実施形態に係る蒸気発生装置１０には、空気流を発生するファンユニット２０と、フィンに湯を掛ける給湯パイプ４０と、湯とファンユニット２０が発生する空気流とを接触させて蒸気を発生する熱交換器３０とが備わっている。そして、熱交換器３０には、上下に間隔をおいて配置され、かつそれぞれがファンユニット２０が発生する空気流の上流側に向かって下り傾斜になった板状フィン３２，３３が備わっている。このため、板状フィン３２，３３の上面を流れる湯と空気流が対向して接触するようになり、蒸気発生の効率を向上させることができる。
【００３３】
また、板状フィン３２，３３に、それぞれ左右方向の位置が異なる開口部３２ｂ，３３ｂを形成するとともに、開口部３２ｂ，３３ｂの後縁部の下部からそれぞれ下方に位置する板状フィン３２，３３の前端側に延びる導水板３５，３７を設けている。さらに、板状フィン３２，３３の後縁部には湯を開口部３２ｂ，３３ｂに導くガイド壁３４，３６が形成されている。このため、板状フィン３２，３３の上面を流れる湯が開口部３２ｂ，３３ｂ内に流れるとともに、開口部３２ｂ，３３ｂ内に流れた湯がそれぞれ下方の板状フィン３２または板状フィン３３に確実に流れるようになる。
【００３４】
図１０は、本発明の他の実施形態に係る蒸気発生装置に備わった板状フィン５２と、板状フィン５２に取り付けられたガイド壁５４および導水板５５を示している。この板状フィン５２は、フィン本体５２ａにそれぞれ複数の開口部５２ｂとガイド溝５２ｃとを形成した構成をしている。この板状フィン５２は、ガイド溝５２ｃが形成されていること以外は前述した板状フィン３２と同じ構成をしており、前部よりも後部が下方に位置するように傾斜を設けて配置される。
【００３５】
ガイド溝５２ｃは、開口部５２ｂの左右両側にそれぞれ複数形成されており、各ガイド溝５２ｃがそれぞれフィン本体５２ａの上面を流れる湯を開口部５２ｂに向かわせるように形成されている。すなわち、開口部５２ｂの左側（図１０の状態での左側）に位置する複数（図１０では５つ）のガイド溝５２ｃは、それぞれ左端部が前方（上方）で右端部が後方（下方）に位置するように傾斜して開口部５２ｂに向かって真っ直ぐに延びており、前後に一定間隔で平行して形成されている。また、開口部５２ｂの右側（図１０の状態での右側）に位置する複数（図１０では５つ）のガイド溝５２ｃは、それぞれ右端部が前方（上方）で左端部が後方（下方）に位置するように傾斜して開口部５２ｂに向かって真っ直ぐに延びており、前後に一定間隔で平行して形成されている。
【００３６】
ガイド壁５４は、前述したガイド壁３４と同様にして、板状フィン５２の後縁部に形成されている。導水板５５は、前述した導水板３５と同様の板本体５５ａと、板本体５５ａの左右両縁部に形成された堰５５ｂとで構成されている。この堰５５ｂは、板本体５５ａの両側縁部における後部を除いた部分に形成されている。また、図示は省略するが、この蒸気発生装置の熱交換器には、板状フィン５２とは、後縁部における後方に突出した部分と前方に窪んだ部分との左右の位置が逆になった板状フィンも備わっており、この板状フィンと板状フィン５２が上下交互に配置されている。先の実施形態では、ガイド部をガイド壁３４で構成したが、本実施形態では、ガイド溝５２ｃとガイド壁５４でガイド部を構成している。この蒸気発生装置のそれ以外の部分の構成は、前述した蒸気発生装置１０と同一である。
【００３７】
本実施形態に係る蒸気発生装置によると、板状フィン５２等の上面にかけられた湯が板状フィン５２等の上面全体に広がりながら開口部５２ｂに向かうようになるため、蒸気発生の効率をさらに向上させることができる。また、導水板５５上に流れた湯が、導水板５５の側部から下方に落下することが防止され、下方に位置する板状フィン５２等の上部側に確実に流れるようになる。このため、湯が各板状フィン５２等の上面の大部分に接触しながら流れるようになり、蒸気発生の効率をさらに向上させることができる。この蒸気発生装置のそれ以外の作用効果は、前述した蒸気発生装置１０と同様である。
【００３８】
図１１は、本発明のさらに他の実施形態に係る蒸気発生装置に備わった板状フィン６２と、板状フィン６２に取り付けられた導水板６５を示している。この板状フィン６２は、フィン本体６２ａにそれぞれ複数の開口部６２ｂ（図１１には１つしか図示していない）とガイド溝６２ｃとを形成した構成をしており、フィン本体６２ａは、前縁部、後縁部ともに直線状に形成されている。また、この板状フィン６２には、ガイド壁は設けられてなく、導水板６５は堰が形成されていない扁平な板状に形成されている。この蒸気発生装置においても、板状フィンは、開口部６２ｂおよび導水板６５の位置を左右にずらした二種類のものが使用される。この蒸気発生装置のそれ以外の構成は、前述した蒸気発生装置１０と同一である。
【００３９】
この実施形態に係る蒸気発生装置によると、熱交換器の構造が簡単になる。なお、この実施形態によっても、板状フィン６２等の上面の湯はガイド溝５２ｃ等によって開口部６２ｂ等に向かうようにガイドされるため、上方に位置する板状フィン６２等から下方に位置する板状フィン６２等に向かって順次流れていく。なお、本実施形態の変形例として、導水板６５の左右両側に堰を形成してもよい。
【００４０】
本発明に係る蒸気発生装置は、前述した各実施形態に限定するものでなく、適宜変更して実施することができる。例えば、前述した各実施形態では、開口部３２ｂ，３３ｂ等を、フィン本体３２ａ，３３ａ等に形成した穴で構成しているが、これに代えて、フィン本体３２ａ，３３ａ等の縁部に形成した切欠き部で開口部を構成してもよい。この場合、フィン本体３２ａ，３３ａ等の縁部における切欠き部が位置する部分にはガイド壁は設けない。また、導水板３５，３７等の上端部は切欠き部の下方に位置させる。
【００４１】
また、前述した各実施形態では、開口部３２ｂ，３３ｂ等を、フィン本体３２ａ，３３ａ等の後端近傍から前部側に延びる細長い穴で構成しているが、開口部は、フィン本体３２ａ，３３ａ等の後端またはその近傍に形成した短い穴または切欠き部で構成してもよい。さらに、各開口部をそれぞれ複数の小さな穴で構成してもよい。さらに、前述した各実施形態では、ファン２２を、プロペラファンで構成しているが、このファンは、クロスフローファン、シロッコファン、ターボファンなどで構成してもよい。これらのファンを用いる場合には、熱交換器３０に対して水平方向から空気流が送られるようにする通風路などを設ける。また、本発明に係る蒸気発生装置のそれ以外の部分の構成についても本発明の技術的範囲内で適宜変更することができる。
【符号の説明】
【００４２】
１０…蒸気発生装置、２２…ファン、３２，３３，５２，６２…板状フィン、３２ｂ，３３ｂ，５２ｂ，６２ｂ…開口部、３４，３６，５４…ガイド壁、３５，３７，５５，６５…導水板、４０…給湯パイプ、５２ｃ，６２ｃ…ガイド溝。
【図１】
2018038582.tif 000003
【図２】
2018038582.tif 000004
【図３】
2018038582.tif 000005
【図４】
2018038582.tif 000006
【図５】
2018038582.tif 000007
【図６】
2018038582.tif 000008
【図７】
2018038582.tif 000009
【図８】
2018038582.tif 000010
【図９】
2018038582.tif 000011
【図１０】
2018038582.tif 000012
【図１１】
2018038582.tif 000013